(57)【要約】      （修正有）【課題】ペット用装着具に、着脱自在で位置調整可能に取り付けることができるペット用アクセサリーの取付け具を提供する。【解決手段】取付け具の表面側にはアクセサリーの止着手段を設け、裏面側にはペット用装着具への止着手段を設けると共に、上下両端部近傍には前記取付け具の上下両端部を裏面側に折り返したときに相互に圧着締結ができる一対のホックを設ける。取付け具は、ペット用装着具の平行する任意の紐構成部間に着脱自在に懸架する。【選択図】図２
0003173775.tif 000002
【実用新案登録請求の範囲】
【請求項１】
ペット用装着具に対しては、着脱自在で位置調整可能に取り付けることができ、さらにアクセサリーを着装自在に止着することができることを特徴とするペット用のアクセサリー取付け具。
【請求項２】
前記ペット用装着具の任意の場所に取付けることができることを特徴とする請求項１に記載したペット用のアクセサリー取付け具。
【考案の詳細な説明】
【技術分野】
【０００１】  本考案は、愛犬等のペットを一層かわいらしく見せるためのペット用のアクセサリー取付け具に関するもので、この取付け具は、例えば、愛犬の首回りに、コサージュ、ブーケ風のリボンや造花などのデザインをあしらったアクセサリーを装着できるようにすることを目的とする。
【背景技術】
【０００２】  近年のペットブームに伴い、いろいろなペット用グッズが販売されている。そのようなグッズのうち、散歩中の愛犬に、胴にはレインサックを着用し、あるいは背中にはリュックを背負っている姿をよく見かけるようになった。【０００３】  例えば、下記の先行技術文献には、愛犬用のレインサックが開示されている。この技術は、散歩中の突然の雨に愛犬が濡れることを防いだり、防寒や抜け毛落ちを防ぐために着用させるものである。
【先行技術文献】
【特許文献】
【０００４】
【特許文献１】登録実用新案第３００９７６６号
【考案の概要】
【考案が解決しようとする課題】
【０００５】  この技術は、愛犬用に着衣体の前半部の首穴から背部を通って非筒胴後半部の尻部までの全長等に対し、ゴムひもを通して着装時の筒胴部を伸縮調整できるようにしたものである。首穴部は、襟付きである。
しかし、この襟部分もあくまでも伸縮機能を重視したものであって、愛犬を一層可愛らしく見せることを意図したものではない。
【課題を解決するための手段】
【０００６】  以上のように、機能を重視した愛犬用グッズは数多く市販されているが、より可愛らしさを追求したグッズは意外に見当たらない。そこで、本考案は、かかる現状に鑑みて創案したものであって、愛犬を一層個性的に、また可愛らしく見せるためのアクセサリー取付け具を提供するものである。
すなわち本考案は、ペット用装着具に、着脱自在で位置調整可能に取り付けることができ、さらにアクセサリーを着装自在に止着することができることを特徴とする。【０００７】  また、本考案は、ペット用装着具の任意の場所を適宜選択して取付けることができることを特徴とする。
【考案の効果】
【０００８】  本考案によれば、すでに市販されている各種リュックハーネスなどのペット用装着具に直ちに、しかも容易に装着することができる。また、アクセサリーを係着することができるから、愛犬を連れて散歩の季節により、いろいろなデザインのアクセサリーに互換できる。さらに愛犬の種類や大きさ、毛並みの色にぴったり似合う色柄の（例えば蝶ネクタイや造花風の）デザインを用意することができる。
【図面の簡単な説明】
【０００９】
【図１】本考案の取付け具を装備したハーネス
【図２】取付け具のハーネスへの取付け外観視の概略図
【図３】取付け具の表側図
【図４】取付け具の裏側図
【図５】取付け具のハーネスへの取付け拡大図
【図６】アクセサリーの取付け具への止着側面図
【図７】アクセサリーを愛犬の胸元に止着した例図
【考案を実施するための形態】
【００１０】  本考案を実施するための形態を、例図を用いて説明する。図１は、本考案の取付け具を装備したハーネスの斜視図であり、図２は、取付け具のハーネスへの取付け概略図である。
すなわち、図２は、前記ハーネスをペットに装着したときの表側となる外観視した図である。
図２に示すように、ペット用装着具（以下、実施例として、ハーネスという。）６は、紐７の中間部の横方向に紐７とＴ字状になるように紐８の一方端を縫着し、他方端をＵ字状の紐９の底部中央９ｃに縫着させる。
２本の紐構成部９ａ、９ｂ間には、ペットの胴を締める胴当て具１１が懸架されている。胴当て具は、紐構成部９ａ、９ｂに縫着させてもよいし、移動できるようにしてもよい。また、場合によっては、胴当て具１１を用いなくてもよい。斑点１０で示した個所は、紐９の表面に装着した面ファスナーである。
なお、１２、１４と、１３、１５はそれぞれ嵌着具である。１６は、リード紐用の止めリングである。
【００１１】  ハーネス６の紐構成部９ａ、９ｂの面ファスナー１０に、取付け具（以下、実施例として、胸当て具という。）１を取り付ける。胸当て具１は、紐９と同様の扁平な形状のもので足りる。材質は特に限定するものではなく、厚手の布製が最適である。胸当て具１の長さは紐構成部９ａ、９ｂを平行に伸ばした時の幅の２倍以上必要とする。
ここで胸当て具１と紐９の底部中央９ｃで囲まれた空白範囲Ｓがペットの首を通す場所になる。
なお、破線の丸Ａは、図５における凹凸ホック２、３をホックしたときの隠れ線、破線の曲線部Ｂは、図５における胸当て具１の上下両端部１ａ、１ｂの重ね端部を示す。
【００１２】  図３（ａ）は、胸当て具１の表側正面図、同図（ｂ）はその側断面図である。図４（ａ）は、胸当て具１の裏側正面図、同図（ｂ）はその側断面図である。
既に説明したように、胸当て具１は、ハーネス６に取り付けて、ハーネス６と着脱自在に構成されるが、アクセサリー１７を止着する機能も有する。
すなわち、図３と図４に示すように、胸当て具１の表裏両面には面ファスナー４、５が固着されている。このうち、表面側の面ファスナー４は、アクセサリー１７を止着する。
また、胸当て具１の上下両端部１ａ、１ｂには、凹ホック２と凸ホック３が取付けられている。
【００１３】  次に、図５を用いて胸当て具１のハーネス６への取付け方法を説明する。胸当て具１の上下両端部１ａ、１ｂをそれぞれ図の矢印Ｘ１、Ｘ２の方向に折り返したときに矢印Ｘ３において凹ホック２と凸ホック３とが圧着嵌合できるようになっている。
胸当て具１は紐構成部９ａ、９ｂに胸当て具１の上下両端部１ａ、１ｂをくるりと折り返す。折り返しは、紐構成部９ａ、９ｂを平行に伸ばした状態で行うことが好ましい。そして凹ホック２と凸ホック３を圧着嵌合させる。
凹ホック２と凸ホック３の嵌合を外すことによって胸当て具１を紐構成部９ａ、９ｂの長手方向（図２の両矢印方向）に自由に移動させることもできる。位置調整は、実際に愛犬にハーネス６を背負わせてから行うのが適切である（後述する）。なお、紐構成部９ａ、９ｂの先端の嵌着具１２は嵌着具１４と、嵌着具１３は嵌着具１５と対の関係にあって、図１に示すように締結される。
【００１４】  図６に示すように、アクセサリー（蝶ネクタイを図示）１７には、裏側に胸当て具１への止着をするためのベース材１８が裏打ちされ、ベース材１８に面ファスナー１９が装着されている。
アクセサリー１７は、胸当て具１の表面側の面ファスナー４に面ファスナー１９を圧着させて止着させる。さらに、凹ホックと凸ホックからなるホック２０を使用することによって止着を一層強くすることもできる。
【００１５】  胸当て具１の表面側の面ファスナー４は、アクセサリー１７を着装させたときに、愛犬を正面から見たときに、隠れるサイズとするのが好ましい。
胸当て具１は、紐構成部９ａ、９ｂ  の長手方向（図１の両矢印方向）に自由に移動させることができるから、愛犬の胸首元に位置するように胸当て具１をスライドさせ、位置決めする。胸当て具１の紐構成部９ａ、９ｂへの懸架を若干タイト（きつめ）に調整すると、胸当て具１と紐構成部９ａ、９ｂの相互の締め付け具合がより良好になる。
【００１６】  本考案では、取付け具１は、ハーネス６に対し着脱可能であるが、アクセサリー１７も取付け具１に対して着脱可能である。すなわち、取付け具１を各種形状のものを用意し、適宜交換して、ハーネス６に取り付ける。また、いろいろなアクセサリー１７を適宜交換して取付け具１に着装させることができるといった、本考案の利用価値を一層高める柔軟な対応をとることができる。
ハーネス６への取付け順序としは、取付け具１を取付けた後、アクセサリー１７を取付け具１に取り付ける手順、アクセサリー１７を最初に取付け具１に着装させ、取付け具１をハーネス６に取り付ける手順がある。
【００１７】  本考案では、胸当て具１の表裏面やアクセサリーの背面のベース材１８等に面ファスナーの使用や面ファスナーとホックの併用をしているが、これに限定されるものではない。例えば、両面テープなどの接着剤、ゴムバンド、ジッパー、ボタンなどの締結、止着、圧着手段を使用してもよい。
本実施例では、アクセサリー１７の取付け場所を胸当て具１にしたが、これに限定されるものではなく、首回り、背中、腹側面、尾部などに取付け具を使用することにより、アクセサリーをこれらの場所の取付け具１に止着させることができる。
また、本実施例では、アクセサリー１７を図６に示すような蝶ネクタイで例示したが、いろいろな形状のリボンやシュシュなどを、アクセサリーとすることができる。
さらに、取付け具１の装備は、図１に示すようなハーネス６に限定されるものではなく、リュックハーネス、レインサックにも使用することができる。
【００１８】  また本考案では、愛犬を例（図７）にアクセサリー１７の装着例を説明したが、他のペット、例えば猿や猫等にも使用することができる。
【符号の説明】
【００１９】    １  胸当て具（取付け具）
２、３  ホック（凹凸）
４、５、１０、１９  面ファスナー
６  ハーネス（ペット用装着具）
９  紐
９ａ、９ｂ、９ｃ  紐構成部
７、８、１１  面ファスナー
１７  蝶ネクタイ（アクセサリー）
１８  ベース材
【図１】
0003173775.tif 000003
【図２】
0003173775.tif 000004
【図３】
0003173775.tif 000005
【図４】
0003173775.tif 000006
【図５】
0003173775.tif 000007
【図６】
0003173775.tif 000008
【図７】
0003173775.tif 000009
【手続補正書】
【提出日】平成23年11月28日(2011.11.28)
【手続補正１】
【補正対象書類名】実用新案登録請求の範囲
【補正対象項目名】全文
【補正方法】変更
【補正の内容】
【実用新案登録請求の範囲】
【請求項１】
取付け具の表面側にはアクセサリーの止着手段を設け、裏面側にはペット用装着具への止着手段を設けると共に、上下両端部近傍には前記取付け具の上下両端部を裏面側に折り返したときに相互に圧着締結ができる一対のホックを設けたことを特徴とするペット用のアクセサリー取付け具。
【請求項２】
前記取付け具は、前記ペット用装着具の平行する任意の紐構成部間に着脱自在に懸架することができることを特徴とする請求項１記載のペット用のアクセサリー取付け具。